(57)【特許請求の範囲】
【請求項１】
通信端末に表示されたウェブサイトの所定表示領域が操作されたときに、リダイレクトサーバを介してダウンロードサーバへアクセスすることにより、該通信端末が該アプリケーションソフトウエアをダウンロードするように促す広告システムで使用される、リンク管理システムであって、
複数の前記リダイレクトサーバから何れか１つを選択するための選択情報を格納する広告情報データベースと、
該広告情報データベースに格納された該選択情報を用いて何れか１つの前記リダイレクトサーバを選択し、前記通信端末に、選択された該リダイレクトサーバを介して前記ダウンロードサーバにアクセスさせる振分サーバと、
を備えることを特徴とするリンク管理システム。
【請求項２】
前記ウェブサイトを前記通信端末に表示させる表示プログラムは、前記アプリケーションソフトウエアを特定する識別キーを前記振分サーバに送信する命令を含み、
該振分サーバは、該識別キーに対応する前記選択情報を用いて、何れか１つの前記リダイレクトサーバを選択する、
ことを特徴とする請求項１に記載のリンク管理システム。
【請求項３】
前記ウエブサイトを前記通信端末に表示させる前記表示プログラムは、前記所定表示領域のリンク先アドレスを、前記振分サーバが選択したリンク先アドレスに書き換える命令を含むことを特徴とする請求項１又は２に記載のリンク管理システム。
【請求項４】
前記表示プログラムは、
前記ウェブサイトが前記通信端末に表示された時に、識別キーを前記振分サーバに送信する命令を実行し、且つ、
前記所定表示領域が操作された時に、前記リンク先アドレスを書き換える命令を実行する、
ことを特徴とする請求項３に記載のリンク管理システム。
【発明の詳細な説明】
【技術分野】
【０００１】
この発明は、通信ネットワークを利用してアプリケーションソフトウエア（以下、「アプリ」と記す）を広告するシステムに関する。
【背景技術】
【０００２】
従来より、インターネット等の通信ネットワークで使用される広告システムとして、リワード広告システムが知られている。
【０００３】
リワード広告システムとは、例えばスマートフォン等の通信端末で利用するアプリ（以下、「広告掲載アプリ」と記す）に、他のアプリ（以下、「リワード対象アプリ」と記す）の広告を表示することで、当該通信端末のユーザに対して当該リワード対象アプリの取得・利用を促す広告システムである（例えば、下記特許文献１参照）。
【０００４】
このリワード広告システムでは、広告掲載アプリの広告表示が、リワード広告業者の管理サーバ（以下、「広告リダイレクトサーバ」と記す）にリンクされている。このため、その通信端末で、その広告表示がタップ等されると、その広告リダイレクトサーバに閲覧要求が送信される。広告リダイレクトサーバは、この閲覧要求を受信すると、その閲覧要求を、ダウンロード用ウェブサイトにリダイレクトする。これにより、その通信端末には、当該リワード対象アプリのダウンロード画面が表示されて、ダウンロードが可能になる。
【０００５】
また、広告リダイレクトサーバは、この閲覧要求を送信した広告掲載アプリ及び通信端末を特定する識別情報を、この閲覧要求から抽出して保存する。その後、通信端末が、リワード対象アプリをダウンロードして起動させると、このリワード対象アプリ及び通信端末を特定する識別情報が広告リダイレクトサーバに送信される。これらの識別情報によって、リワード対象アプリの提供に貢献した広告掲載アプリを特定して、その広告掲載アプリの提供者に成果報酬が支払われる。
【先行技術文献】
【特許文献】
【０００６】
【特許文献１】特開２０１３−８０３１９号公報
【発明の概要】
【発明が解決しようとする課題】
【０００７】
しかしながら、上述のような従来のリワード広告システムには、広告掲載アプリがアクセスする広告リダイレクトサーバが１つの業者に特定されてしまい、このため、広告掲載アプリの提供者は、リワード対象アプリの種類毎に好条件のリワード広告業者（例えば、成果報酬が高額なリワード広告業者）を適宜選択できないという欠点があった。
【０００８】
また、近年、様々なアプリを紹介するウェブサイトが登場しているが、上記特許文献１のシステムでは、このようなウェブサイトがアプリのダウンロードに貢献した場合でも、そのウェブサイトの運営者が成果報酬を受け取ることができない。
【０００９】
この発明の課題は、広告掲載者が、リワード広告業者等の広告管理業者を、自動的に適宜選択して、成果報酬を得ることが可能なリンク管理システムを提供する点にある。
【課題を解決するための手段】
【００１０】
かかる課題を解決するために、請求項１の発明に係るリンク管理システムは、通信端末に表示されたウェブサイトの所定表示領域が操作されたときに、リダイレクトサーバを介してダウンロードサーバへアクセスすることにより、該通信端末が該アプリケーションソフトウエアをダウンロードするよう促す広告システムで使用される、リンク管理システムであって、複数の前記リダイレクトサーバから何れか１つを選択するための選択情報を格納する広告情報データベースと、該広告情報データベースに格納された該選択情報を用いて何れか１つの前記リダイレクトサーバを選択し、前記通信端末に、選択された該リダイレクトサーバを介して前記ダウンロードサーバにアクセスさせる振分サーバと、を備えることを特徴とする。
【００１１】
また、請求項２の発明は、請求項１の構成に加え、前記ウェブサイトを前記通信端末に表示させる表示プログラムは、前記アプリケーションソフトウエアを特定する識別キーを前記振分サーバに送信する命令を含み、該振分サーバは、該識別キーに対応する前記選択情報を用いて、何れか１つの前記リダイレクトサーバを選択することを特徴とする。
【００１２】
また、請求項３の発明は、請求項１又は２の構成に加え、前記ウエブサイトを前記通信端末に表示させる前記表示プログラムは、前記所定表示領域のリンク先アドレスを、前記振分サーバが選択したリンク先アドレスに書き換える命令を含むことを特徴とする。
【００１３】
また、請求項４の発明は、前記表示プログラムは、前記ウェブサイトが前記通信端末に表示された時に、識別キーを前記振分サーバに送信する命令を実行し、且つ、前記所定表示領域が操作された時に、前記リンク先アドレスを書き換える命令を実行することを特徴とする。
【発明の効果】
【００１４】
請求項１の発明によれば、広告情報データベースに格納された該選択情報を用いて、広告掲載サイト運営者等にとって有利なリダイレクトサーバを、適宜選択することができる。
【００１５】
請求項２の発明によれば、アプリケーションソフトウエアを特定する識別キーを用いるので、簡単な処理で、リダイレクトサーバをアプリケーションソフトウエア毎に選択することができる。
【００１６】
請求項３の発明によれば、広告掲載サイトの表示プログラムのリンク先アドレスを書き換えるので、簡単な処理で、適宜、リンク先アドレスを変更できる。
【００１７】
請求項４の発明によれば、ウェブサイトが表示された時にリンク先の問合せを行い、表示領域が操作されたときにリンク先を書き換えるので、リンク先変更のための処理を短時間で行うことができる。
【図面の簡単な説明】
【００１８】
【図１】実施の形態１に係る広告システム全体のネットワーク構成を示す概念図である。
【図２】実施の形態１に係る広告調査クローラの動作を概略的に示すフローチャートである。
【図３】実施の形態１に係るスマートフォンの動作を概略的に示すフローチャートである。
【図４】実施の形態１に係る振分サーバの動作を概略的に示すフローチャートである。
【発明を実施するための形態】
【００１９】
以下、この発明の実施の形態１について、図１〜図４を用いて説明する。
【００２０】
図１は、この実施の形態１に係る広告システム全体のネットワーク構成を示す概念図である。
【００２１】
図１に示したように、この広告システム１００は、少なくとも１台のウェブサーバ１１０と、スマートフォン１２０と、複数の広告リダイレクトサーバ１３０−１〜１３０−ｍと、広告情報サーバ１３１−１〜１３１−ｎと、ダウンロードサーバ１４０と、リンク管理システム１５０とを含む。
【００２２】
ウェブサーバ１１０は、スマートフォン１２０のユーザに、広告掲載サイト１１１を閲覧させる。広告掲載サイト１１１は、様々なアプリを紹介する目的のウェブサイトでもよいし、アプリを広告表示しているウェブサイトでもよい。更には、ゲームアプリ等の専用アプリ内に、他のアプリの広告を表示するためのウェブサイトでもよいし、それら以外の広告方式のウェブサイトやアプリ等でもよい。この広告掲載サイト１１１の運営者は、リンク管理システム１５０の運営者と、利用契約を交わしている。なお、図１にはウェブサーバを１台のみ示したが、複数であっても良い。
【００２３】
スマートフォン１２０は、ユーザが、内部にインストールされたブラウザその他のアプリを使用して、ウェブサーバ１１０の広告掲載サイト１１１を閲覧するために使用される。また、このスマートフォン１２０で広告掲載サイト１１１を閲覧しているとき、画面に表示された広告掲載サイト１１１の不図示の所定表示領域（ここでは、ダウンロードボタンとする）をタップ等することで、広告リダイレクトサーバ１３０−１〜１３０−ｎの何れかを経由してダウンロードサーバ１４０にアクセスし、その広告掲載サイトで広告されたアプリをダウンロードすることができる（後述の図４参照）。なお、この実施の形態１では、通信端末としてスマートフォン１２０を使用する場合を説明するが、アプリをダウンロードして使用できる通信端末であれば何でもよく、例えば携帯電話機、タブレット型端末、パーソナルコンピュータ等でもよい。
【００２４】
広告リダイレクトサーバ１３０−１〜１３０−ｎは、スマートフォン１２０からアクセスされると、そのアクセスをダウンロードサーバ１４０にリダイレクトする。この実施の形態１では、これらの広告リダイレクトサーバ１３０−１〜１３０−ｎは、それぞれ別個のリワード広告業者によって運営されているものとする。また、これらのリワード広告業者は、それぞれ、リンク管理システム１５０の運営者と、利用契約を交わしている。なお、各広告リダイレクトサーバ１３０−１〜１３０−ｎが、アプリのダウンロードに貢献した広告掲載サイト１１１を特定する方法は、従来と同じでよいため、説明を省略する。
【００２５】
広告情報サーバ１３１−１〜１３１−ｎは、対応するリワード広告の広告情報を保存する。この実施の形態１では、これらの広告情報サーバ１３１−１〜１３１−ｎも、上述の広告リダイレクトサーバ１３０−１〜１３０−ｎと同様、リワード広告業者によってそれぞれ運営されているものとする。広告情報サーバ１３１−１〜１３１−ｎが保存する広告情報には、少なくともリンク先のＵＲＬ（通常、そのリワード広告業者が運営する広告リダイレクトサーバのＵＲＬ）が含まれている。また、広告情報は、そのリワード広告業者が広告掲載サイト１１１の運営者に支払う成果報酬単価や、各リワード先ＵＲＬからリワード対象アプリの種類を特定するためのキー情報を含んでいても良い。ここで、成果報酬単価とは、広告掲載サイト１１１の広告を利用して、リワード対象アプリがスマートフォン１２０に１回ダウンロード・起動された場合に、利用された広告掲載サイトの運営者が受け取る報酬額である。通常、この成果報酬は、そのリワード対象アプリの配布者（すなわち、広告主）がリワード広告業者支払った広告料から、そのリワード広告業者の手数料を差し引いた金額となる。
【００２６】
ダウンロードサーバ１４０は、広告リダイレクトサーバ１３０−１〜１３０−ｎを介してスマートフォン１２０からアクセスされると、そのスマートフォン１２０に、対応するアプリのダウンロード画面を表示させる。これにより、そのスマートフォン１２０に、そのアプリをダウンロードさせることが可能になる。ダウンロードサーバ１４０の運営者は、リンク管理システム１５０の運営者と利用契約を交わしている必要は無いが、交わしていてもよい。
【００２７】
リンク管理システム１５０は、所定の選択条件にしたがって、広告リダイレクトサーバ１３０−１〜１３０−ｎの中から、スマートフォン１２０がアクセスする広告リダイレクトサーバを選択する。そして、リンク管理システム１５０は、この選択結果に基づいて、スマートフォン１２０に、利用するリワード広告業者（すなわち、広告リダイレクトサーバ１３０−１〜１３０−ｎの何れか）を変更させる。そのために、リンク管理システム１５０は、広告調査クローラ１５１と、広告情報データベース１５２と、広告振分サーバ１５３とを備えている。
【００２８】
広告調査クローラ１５１は、各広告情報サーバ１３１−１〜１３１−ｎを巡回する。そして、広告調査クローラ１５１は、これらの広告情報サーバ１３１−１〜１３１−ｎから、リワード広告業者毎に、そのリワード広告業者が取り扱っているリワード対象アプリの広告情報（上述）を収集する。。
【００２９】
広告情報データベース１５２は、各リワード広告業者の広告情報を、広告調査クローラ１５１から受け取って保存する。
【００３０】
広告振分サーバ１５３は、スマートフォン１２０が広告掲載サイト１１１にアクセスしたときに、、その広告掲載サイトに出稿されているリワード対象アプリに対応する広告情報を、広告情報データベース１５２から読み出す。そして、一つのリワード対象アプリに対して複数のリワード広告業者の広告情報が読み出された場合に、それらの広告情報を用いて、リワード広告業者の何れか（従って、広告リダイレクトサーバ１３０−１〜１３０−ｎの何れか）を選択する（詳細は後述）。更に、広告振分サーバ１５３は、この選択結果に応じて、スマートフォン１２０に、その広告掲載サイト１１１のダウンロードボタンのリンク先（すなわち、スマートフォン１２０がアクセスする広告リダイレクトサーバ）を変更させる（後述の図３参照）。
【００３１】
次に、この実施の形態１に係る広告システム１００の動作を説明する。
【００３２】
まず、広告調査クローラ１５１の動作について、図２のフローチャートを用いて説明する。
【００３３】
最初に、広告調査クローラ１５１は、上述のように、広告情報サーバ１３１−１〜１３１−ｎに、順次アクセスする。そして、この広告調査クローラ１５１は、各広告情報サーバ１３１−１〜１３１−ｎから、上述の広告情報を取得する。
【００３４】
次に、この広告調査クローラ１５１は、取得した広告情報から、リンク先ＵＲＬを抽出する（図２のステップＳ２１参照）。そして、広告調査クローラ１５１は、このリンク先にアクセスして、リダイレクト情報を取得する（ステップＳ２２参照）。このリダイレクト情報には、リダイレクト先のＵＲＬが含まれる。
【００３５】
ここで、リダイレクト先のＵＲＬにアクセスすると、そのＵＲＬで更にリダイレクトされる場合がある。このような多重リダイレクトの場合、広告調査クローラ１５１は、最終的にダウンロードサーバ１４０のダウンロードサイトにたどり着くまで、アクセスとリダイレクト情報の取得とを繰り返す（ステップＳ２３参照）。
【００３６】
ダウンロードサーバ１４０のダウンロードサイトに到達すると、広告調査クローラ１５１は、そのダウンロードサイトのＵＲＬから、そのリワード対象アプリを識別するキーの抽出を試みる（ステップＳ２４参照）。多くの場合、ダウンロードサイトのＵＲＬには、そのリワード対象アプリの名称等を示す文字列が含まれている。広告調査クローラ１５１は、リワード対象アプリを識別できる文字列をＵＲＬから抽出できた場合は、その文字列に関連付けて、上述のリダイレクト情報を、広告情報データベース１５２に格納する。一方、リワード対象アプリを識別できる文字列をＵＲＬから抽出できなかった場合、広告調査クローラ１５１は、ダウンロードサイトのＵＲＬに関連付けて、上述のリダイレクト情報を、広告情報データベース１５２に格納する（ステップＳ２５参照）。
【００３７】
次に、スマートフォン１２０がリワード対象アプリをダウンロードするときの、広告システム１００の動作について、図３及び図４のフローチャートを用いて説明する。図３は、スマートフォン１２０の動作を示す概略フローチャートであり、図４は、振分サーバ１５３の動作を示す概略フローチャートである。
【００３８】
まず、スマートフォン１２０が、不図示のアプリ（ここではブラウザアプリとする）を用いて、ウェブサーバ１１０の広告掲載サイト１１にアクセスする。これにより、スマートフォン１２０には、広告掲載サイト１１のウェブ表示プログラムが取得されて、該当するウェブページが表示される。このウェブページには、他人の配布するアプリ（すなわち、リワード対象アプリ）を紹介する文章や、そのリワード対象アプリに対応するダウンロードボタンが、表示されているものとする。そして、そのダウンロードボタンは、広告リダイレクトサーバ１３０−１〜１３０−ｎの何れかのＵＲＬに、リンクされている。
【００３９】
ここで、このウェブ表示プログラムをスマートフォン１２０が読み込むとスマートフォン１２０は、このウェブ表示プログラム内の命令を実行することにより、そのリワード対象アプリがこのスマートフォン１２０のプラットフォームに適合しているか否かの判定処理を実行する（図３のステップＳ３１参照）。そして、そのリワード対象アプリが不適合の場合（ステップＳ３１の‘Ｎｏ’）、ウェブ表示プログラムは、処理を終了する（ステップＳ３２）。
【００４０】
一方、ステップＳ３１において、そのリワード対象アプリが適合している場合（ステップＳ３１の‘Ｙｅｓ’）、スマートフォン１２０は、ウェブ表示プログラム内の命令を実行することにより、広告振分サーバ１５３に、アクセス先を問い合わせる（ステップＳ３３参照）。この問合せには、リワード対象アプリを特定するための情報（例えば、そのリワード対象アプリに対応するダウンロードボタンのリンク先ＵＲＬや、上述のアプリ識別キー等の情報）が含まれる。
【００４１】
広告振分サーバ１５３は、この問合せを受け取ると、その問合せに含まれるリンク先ＵＲＬ等を識別キーとして用いて、そのアプリに対応する広告情報を、広告情報データベース１５２からサーチする（図４のステップＳ４１）。
【００４２】
そして、この識別キー（すなわち、ダウンロードボタンのリンク先ＵＲＬ）に対応する広告情報が広告情報データベース１５２に格納されていない場合（ステップＳ４２の‘Ｎｏ’）、広告情報データベース１５２は、スマートフォン１２０に対して、そのリンク先ＵＲＬに対応する広告情報が無い旨の情報（もしくは、問い合わせに使用されたリンク先ＵＲＬをでも良い）を送信する（ステップＳ４３参照）。
【００４３】
一方、広告情報データベース１５２に、その識別キーに対応する広告情報が存在する場合（ステップＳ４２の‘Ｙｅｓ’）、広告振分サーバ１５３は、対応する広告情報の個数をチェックする。そして、１個のみ存在する場合（ステップＳ４４の‘Ｎｏ’）、広告振分サーバ１５３は、そのリンク先のＵＲＬ（すなわち、検索キーとして用いたＵＲＬ）を、スマートフォン１２０に送信する（ステップＳ４５参照）。
【００４４】
また、その識別キーに対応する広告情報が広告情報データベース１５２内に複数個存在する場合（ステップＳ４４の‘Ｙｅｓ’）、広告振分サーバ１５３は、それら広告情報に含まれる成果報酬単価を、それぞれ、広告情報データベース１５２から読み出す。そして、広告振分サーバ１５３は、最も高額な成果報酬単価に対応するリダイレクトサーバのＵＲＬを選別し、その選別されたＵＲＬを、新しいリンク先ＵＲＬとして、スマートフォン１２０に送信する（ステップＳ４６参照）。
【００４５】
スマートフォン１２０は、ステップＳ３３で送信した問合せの返答を、広告振分サーバ１５３から受け取ると、ウェブ表示プログラム内の命令を実行することにより、その返答に含まれるＵＲＬをチェックする（図３のステップＳ３４）。
【００４６】
そして、リンク先が無い（すなわち、広告情報データベース１５２に、該当する広告情報が無い）との返答を受け取った場合（ステップＳ３４の‘Ｎｏ’、図４のステップＳ４３に対応）、スマートフォン１２０は、ダウンロードボタンのリンク先を変更すること無く、リンク先変更の処理を終了する（図３のステップＳ３５参照）。
【００４７】
一方、問合せの返答にリンク先ＵＲＬが含まれている場合（ステップＳ３４の‘Ｙｅｓ’、図４のステップＳ４５、Ｓ４６に対応）、スマートフォン１２０は、ダウンロードボタンがタップ等されたタイミングでウェブ表示プログラム内の命令を実行することにより、そのダウンロードボタンのリンク先を、その返答に含まれるリンク先ＵＲＬに書き換える（図３のステップＳ３６参照）。なお、ダウンロードボタンがタップ等される前に、そのダウンロードボタンのリンク先を書き換えることとしても良い。
【００４８】
その結果、スマートフォン１２０は、ダウンロードボタンがタップ等された時、変更後のリンク先に対応する広告リダイレクトサーバ（図１の例では、広告リダイレクトサーバ１３０−１）にアクセスし、この広告リダイレクトサーバでリダイレクトされて、ダウンロードサーバ１４０にアクセスする（ステップＳ３７参照）。
【００４９】
従って、このスマートフォン１２０は、広告掲載サイト１１１の運用者に対する成果報酬単価が最も高額なリワード広告業者を利用して、そのリワード対象アプリをダウンロードすることになる。
【００５０】
以上説明したように、この実施の形態１によれば、広告情報データベース１５３に格納された選択情報（アプリ識別キー、リンク先ＵＲＬ、成果報酬単価等）を用いて、広告リダイレクトサーバ１３０−１〜１３０−ｎから、広告掲載サイト１１１の運営者等にとって最も有利なものを、適宜選択することができる。
【００５１】
また、この実施の形態１によれば、アプリケーションソフトウエアを特定する識別キーを用いるので、簡単な処理で、広告リダイレクトサーバ１３０−１〜１３０−ｎのいずれかを、アプリケーションソフトウエア毎に選択することができる。
【００５２】
更に、この実施の形態１によれば、広告掲載サイト１１１の表示プログラムがリンク先アドレスを書き換えるので、簡単な処理で、適宜、広告リダイレクトサーバ１３０−１〜１３０−ｎのいずれかを選択することができる。
【００５３】
なお、この実施の形態１では、スマートフォン１２０が画面に広告掲載サイト１１１のウェブページを表示したタイミングでに、広告振分サーバ１５３にアクセス先を問い合わせて書き換えることとしたが、他のタイミングで（例えば、スマートフォン１２０の画面の広告掲載サイト１１１のダウンロードホタンがタップ等されたとき）アクセス先の問い合わせ（図３のステップＳ３３参照）を行うこととしてもよい。
【００５４】
この実施の形態では、スマートフォン１２０が表示するダウンロードボタンのリンク先ＵＲＬを他の広告リダイレクトサーバ（図１の広告リダイレクトサーバ１３０−１〜１３０−ｎの何れか）のＵＲＬに書き換えることで、リワード広告業者を変更することとしたが、ダウンロードボタンのリンク先ＵＲＬを広告振分サーバ１５３に書き換えること（或いは、広告掲載サイト１１１のウェブ表示プログラムの当該リンク先ＵＲＬを、最初から広告振分サーバ１５３のＵＲＬとしておくこと）としても良い。このような場合、スマートフォン１２０が、ダウンロードボタンをタップ等されて、広告振分サーバ１５３にアクセスしたときに、広告振分サーバ１５３が、広告リダイレクトサーバ１３０−１〜１３０−ｎから何れかを選択して、そのアクセスをリダイレクトし、更に、その選択されたリダイレクトサーバが、そのアクセスをダウンロードサーバ１４０にリダイレクトすることとすれば、広告掲載サイト１１１の運用者は、成果報酬単価が最も高額なリワード広告業者を利用することができる。
【符号の説明】
【００５５】
１００  広告システム
１１０  ウェブサーバ
１１１  広告掲載サイト
１２０  スマートフォン
１３０−１〜１３０−ｎ  広告リダイレクトサーバ
１３１−１〜１３１−ｎ  広告情報サーバ
１４０  ダウンロードサーバ
１５０  リンク管理システム
１５１  広告調査クローラ
１５２  広告情報データベース
１５３  広告振分サーバ
【図１】
0006392084.tif 000002
【図２】
0006392084.tif 000003
【図３】
0006392084.tif 000004
【図４】
0006392084.tif 000005